(57)【要約】      （修正有）【課題】電子機器用保護フィルムを提供する。【解決手段】電子機器２００の保護フィルム１００は、透明な主フィルムと、第１の離型フィルム１２０と、１枚、又は、複数枚の第２の離型フィルム１３０とを含む。第１の離型フィルム１２０が透明な主フィルムの接着層に貼付され、且つ、第１の離型層と第１の剥離層とを含み、第１の離型層の外端が電子機器の操作表面２１０の第１外側２１４に向き、第１の剥離層が第１の離型層を覆い、また、第１の離型層の内端と第１の剥離層の内端とが相互に結合される。第２の離型フィルム１３０が透明な主フィルムの接着層に貼付されると共に第１の離型フィルム１２０に隣接し、且つ、第２の離型層と第２の剥離層とを含み、第２の離型層の外端が電子機器の操作表面２１０の第２外側２１５に向き、第２の剥離層が第２の離型層を覆い、また、第２の離型層の内端と第２の剥離層の内端とが相互に結合される。【選択図】図１Ａ
0003179428.tif 000002
【実用新案登録請求の範囲】
【請求項１】
電子機器における対向する第１外側と第２外側を備える操作表面に貼付するために供される電子機器用保護フィルムであって、
その内表面に前記電子機器の前記操作表面に接着するための接着層を備えた透明な主フィルムと、
前記透明な主フィルムの接着層に貼付され、且つ、第１の離型層と第１の剥離層とを含み、前記第１の離型層の外端が前記電子機器の前記操作表面の前記第１外側に向き、前記第１の剥離層が前記第１の離型層を覆い、また、前記第１の離型層の内端と前記第１の剥離層の内端とが相互に結合される少なくとも１枚の第１の離型フィルムと
前記透明な主フィルムの前記接着層に貼付されると共に前記第１の離型フィルムに隣接し、且つ、第２の離型層と第２の剥離層とを含み、前記第２の離型層の外端が前記電子機器の前記操作表面の前記第２外側に向き、前記第２の剥離層が前記第２の離型層を覆い、また、前記第２の離型層の内端と前記第２の剥離層の内端とが相互に結合される少なくとも１枚の第２の離型フィルムと、
を含むことを特徴とする電子機器用保護フィルム。
【請求項２】
前記第１の離型フィルムの内端と前記第２の離型フィルムの内端が互いに揃っていることを特徴とする請求項１に記載の電子機器用保護フィルム。
【請求項３】
前記第１の離型フィルムの内端と前記第２の離型フィルムの内端が互いに揃っていないことを特徴とする請求項１に記載の電子機器用保護フィルム。
【請求項４】
前記第１の離型フィルムの内端が前記第２の離型フィルムの内端を超え、前記第１の離型フィルムの一部が前記第２の離型フィルムを覆わせることを特徴とする請求項１に記載の電子機器用保護フィルム。
【請求項５】
前記第１の離型フィルムの前記第１の離型層の内端と前記第１の剥離層の内端が第１の貼合区間を形成することを特徴とする請求項１に記載の電子機器用保護フィルム。
【請求項６】
前記第２の離型フィルムの前記第２の離型層の内端と前記第２の剥離層の内端が第２の貼合区間を形成することを特徴とする請求項１に記載の電子機器用保護フィルム。
【請求項７】
前記第１の離型フィルムの前記第１の離型層と前記第１の剥離層が折畳み一体型とすることを特徴とする請求項１に記載の電子機器用保護フィルム。
【請求項８】
前記第２の離型フィルムの前記第２の離型層と前記第２の剥離層が折畳み一体型とすることを特徴とする請求項１に記載の電子機器用保護フィルム。
【請求項９】
前記透明な主フィルムの外表面を覆う一枚、或いは、複数枚の外側保護シートを更に含むことを特徴とする請求項１に記載の電子機器用保護フィルム。
【請求項１０】
前記第１の離型フィルムと前記第２の離型フィルムを同時に覆う一枚、或いは、複数枚の外側保護シートを更に含むことを特徴とする請求項１に記載の電子機器用保護フィルム。
【請求項１１】
前記第１の離型フィルムの内端と前記第２の離型フィルムの内端が前記電子機器の短辺、及び／或いは、長辺のいずれかに平行することを特徴とする請求項１に記載の電子機器用保護フィルム。
【考案の詳細な説明】
【技術分野】
【０００１】
本考案は、保護フィルムの貼付技術に関し、特に、電子機器用の複数枚の保護フィルム構造に関する。
【背景技術】
【０００２】
現在、スマートフォンとタブレットコンピュータ等といったポータブル電子機器の操作可能な正面は、通常大きな面積のスクリーンを有すると共に緻密な質感のある設計となっている。ポータブル電子機器を物との衝突や摩擦による損傷或いはスリ傷から保護するため、通常ポータブル電子機器の表面に一枚の保護フィルムを貼り付けている。透明材質の保護フィルムは接着剤面を備え、接着剤面の接着性を守ると共に雑物の付着を避けるため、接着剤面にまず一枚の離型フィルムを張り合わせている。保護フィルムの貼付位置は、ポータブル電子機器正面の操作表面が最も常識的である。
【０００３】
しかしながら、一枚の保護フィルムを完璧に貼付することは通常でも困難である。まず、保護フィルムの貼付は極めて短時間で行わなければならない。またその接着剤面にある離型フィルムを剥がした時、通常相当の静電気が生じて付近の塵埃微粒子を吸いつけてしまう。時間が長くなればなるほど、保護フィルムの接着剤面に益々多くの塵埃微粒子が吸いついてしまう。これら塵埃微粒子の付着過程において気泡を形成してまうため、保護フィルムとポータブル電子機器の間のこれら気泡は取り除き難くなっている。
【０００４】
その他、離型フィルムは一枚式で、保護フィルムと同じサイズである。離型フィルムを剥がした時、先に保護フィルムの一端をポータブル電子機器の某側に合わせて貼付できるが、片側を合わせた時、小範囲のずれとなり肉眼でも判断し難い。利用者は、往々にして前半に逐次局部から保護フィルムを押圧していき、ポータブル電子機器に貼付していった後半過程になってからずれてしまったことが分かる。この時、ポータブル電子機器の操作表面に押ボタン、スピーカ穴或いはカメラ穴の不連続面構造がある場合、保護フィルム上の開口に顕著なずれ状態を形成し、美観に影響を及ぼし、機能性にも影響を及ぼしてしまう。
【考案の概要】
【考案が解決しようとする課題】
【０００５】
そこで、本考案は上記のような従来技術の問題点に鑑みて、電子機器の対向する第１外側と第２外側を備える操作表面に貼付するために供される電子機器用保護フィルムを提供することを目的とする。
【課題を解決するための手段】
【０００６】
上記目的を達成するため、本考案の一実施例に係る保護フィルムには透明な主フィルムと、１枚又は複数枚の第１の離型フィルムと、１枚又は複数枚の第２の離型フィルムとを含む。透明な主フィルムの内表面に電子機器の操作表面に接着するための接着層を備える。
第１の離型フィルムが透明な主フィルムの接着層に貼付され、且つ第１の離型層と第１の剥離層とを含み、第１の離型層の外端が電子機器の操作表面の第１外側に向き、第１の剥離層が第１の離型層を覆い、また第１の離型層の内端と第１の剥離層の内端とが相互に結合される。第２の離型フィルムが透明な主フィルムの接着層に貼付されると共に第１の離型フィルムに隣接し、且つ第２の離型層と第２の剥離層とを含み、第２の離型層の外端が電子機器の操作表面の第２外側に向き、第２の剥離層が第２の離型層を覆い、また第２の離型層の内端と第２の剥離層の内端とが相互に結合される。              
【０００７】
本考案の別の実施例において、第１の離型フィルムの内端と第２の離型フィルムの内端が互いに揃っている。本考案の別の実施例において、第１の離型フィルムの内端と第２の離型フィルムの内端が互いに揃っていない。
【０００８】
本考案の別の実施例において、第１の離型フィルムの内端が第２の離型フィルムの内端を超え、第１の離型フィルムの一部が第２の離型フィルムを覆う。
【０００９】
本考案の別の実施例において、第１の離型フィルムの第１の離型層の内端と第１の剥離層の内端が第１の貼合区間を形成する。
【００１０】
本考案の別の実施例において、第２の離型フィルムの第２の離型層の内端と第２の剥離層の内端が第２の貼合区間を形成する。
【００１１】
本考案の別の実施例において、第１の離型フィルムの第１の離型層と第１の剥離層が折畳み一体型とする。
【００１２】
本考案の別の実施例において、第２の離型フィルムの第２の離型層と第２の剥離層が折畳み一体型とする。
【００１３】
本考案の別の実施例において、電子機器用保護フィルムは透明な主フィルムの外表面を覆う一枚或いは複数枚の外側保護シートを更に含む。
【００１４】
本考案の別の実施例において、電子機器用保護フィルムは第１の離型フィルムと第２の離型フィルムを同時に覆う一枚或いは複数枚の外側保護シートを更に含む。
【００１５】
本考案の別の実施例において、第１の離型フィルムの内端と第２の離型フィルムの内端が電子機器の短辺に平行する。
【００１６】
本考案の別の実施例において、第１の離型フィルムの内端と第２の離型フィルムの内端が電子機器の長辺に平行する。
【考案の効果】
【００１７】
本考案の各実施例に基づく電子機器用保護フィルムは、利用者が電子機器の両側、四隅又は操作表面全体に合わせた後、まず手で一端を押さえ、手を他端から放し、他端の第１の離型フィルム或いは第２の離型フィルムのいずれかを先に剥がしてからしっかりと貼付し、その後他側に移って一つのもう一枚又は残った各隅の離型フィルムを剥がすことができる。
電子機器用保護フィルムは電子機器の操作表面全体に合わせ、且つ貼付前電子機器用保護フィルムの一端をしっかり押えて電子機器の操作表面に固定でき、位置固定、ずれていない状態下で先に片側或いは単一隅部の局部定位と貼付を終えることができるため、正確な貼付効果を奏すことができる。同時に、過程において、先に離型フィルムを剥がしてから時間がかかる合わせるという動作だけでなく、本考案の段階に分けて行う貼付動作において接着層の露出時間を短縮し、大幅に塵埃微粒子の吸い付きと気泡の問題を減らすことできる。
【図面の簡単な説明】
【００１８】
【図１Ａ】本考案の一実施例における保護フィルムと電子機器の立体外観図である。
【図１Ｂ】本考案の別の実施例における保護フィルムの背面立体外観図である。
【図２Ａ】本考案の別の実施例における保護フィルムの図１ＡのＡエリアに対応する局部断面図である。
【図２Ｂ】本考案の別の実施例における保護フィルムの図１ＡのＡエリアに対応する局部断面図である。
【図３Ａ】本考案の別の実施例における保護フィルムの図１ＡのＡエリアに対応する局部断面図である。
【図３Ｂ】本考案の別の実施例における保護フィルムの図１ＡのＡエリアに対応する局部断面図である。
【図４Ａ】本考案の別の実施例における保護フィルムの図１ＡのＡエリアに対応する局部断面図である。
【図４Ｂ】本考案の別の実施例における保護フィルムの図１ＡのＡエリアに対応する局部断面図である。
【図５】本考案の別の実施例における保護フィルムの背面立体外観図である。
【考案を実施するための形態】
【００１９】
図１Ａを参照しながら説明する。本考案の一実施例において、保護フィルム１００を電子機器２００の操作表面２１０に貼付したものである。図１Ｂは保護フィルム１００の背面図である。
【００２０】
電子機器２００の操作表面２１０は電子機器２００の正面（図内では上向きの表面）で、基本的に操作表面２１０の大部分の面積は平面で、スクリーン２１１と、フレーム２１２、押ボタン２１３ａ、スピーカ穴２１３ｂとカメラ穴２１３ｃを含む。図内の操作表面２１０の左右両側はそれぞれ対向する第１外側２１４と第２外側２１５とする。別の実施例において、操作表面２１０はスクリーン２１１とフレーム２１２を覆う保護ガラスを備えることができる。当然、押ボタン２１３ａ、スピーカ穴２１３ｂ及びカメラ穴２１３ｃの位置において、この保護ガラスに対応する開口を残すことができる。保護フィルム１００の寸法と辺縁部の形状は、制限がない。保護フィルム１００を貼付した後のカバーエリアは操作表面２１０の局部エリアに及ぶことができ、例えばスクリーン２１１又はフレーム２１２のみに及び、スクリーン２１１を含まず、若しくは図１Ａに示すように全ての操作表面２１０に及ぶ。
【００２１】
図２Ａと図２Ｂは、本考案の別の実施例における図１ＡのＡエリアに対応する拡大図である。図１Ａ、図１Ｂ、図２Ａ、図２Ｂを一緒に参照しながら説明する。保護フィルム１００は、透明な主フィルム１１０と第１の離型フィルム１２０と一枚或いは複数枚の第２の離型フィルム１３０とを含む。
【００２２】
透明な主フィルム１１０の内表面（電子機器２００の操作表面２１０に向くもの）は、電子機器２００の操作表面２１０に貼付するために用いる接着層１１１を備える。一実施例において、保護フィルム１００はポリエチレンテレフタレート（ＰＥＴ）等の高分子重合プラスチックフィルムで実現できる。一実施例において、接着層１１１はシリカゲル或いはその他接着に適した接着材料で実現できる。透明な主フィルム１１０は更に開口１１３ａ／１１３ｂ／１１３ｃを備え、各々電子機器２００の操作表面２１０にある押ボタン２１３ａ、スピーカ穴２１３ｂ及びカメラ穴２１３ｃに対応する。
【００２３】
第１の離型フィルム１２０は、剥離できるように透明な主フィルム１１０の接着層１１１に貼付され、第１の離型層１２１と第１の剥離層１２２とを含む。第１の離型層１２１の外端（図１Ａ、図２Ａ、図２Ｂから見ると左側）が電子機器２００の操作表面２１０の第１外側２１４（図１Ａ、図１Ｂ、図２Ａ、図２Ｂから見ると左側）に向く。第１の離型フィルム１２０の第１の剥離層１２２が第１の離型層１２１を覆い、且つ第１の離型層１２１の内端（透明な主フィルム１１０の中間区間近く）と第１の剥離層１２２の内端（透明な主フィルム１１０の中間区間近く）とが相互に結合する。
図２Ａ、図２Ｂに示すように、本考案の別の実施例において、第１の離型フィルム１２０の第１の離型層１２１の内端と第１の剥離層１２２の内端とが第１の貼合区間１２３を形成する。図３Ａ、図３Ｂに示すように、本考案の別の実施例において、第１の離型フィルム１２０の第１の離型層１２１と第１の剥離層１２２が折畳み一体型とする。
【００２４】
第２の離型フィルム１３０も剥離できるように透明な主フィルム１１０の接着層１１１に貼付されると共に第１の離型フィルム１２０と隣接する。本考案の別の実施例において、第１の離型フィルム１２０の内端と第２の離型フィルム１３０の内端（両者はいずれも透明な主フィルム１１０の中間区間近く）が電子機器２００の短辺に平行となり、例えば図１Ａの電子機器２００の操作表面２１０の第１外側２１４或いは第２外側２１５の両側に近い。
図１Ａ、図１Ｂ、図２Ａ、図２Ｂ、図３Ａのように、本考案の別の実施例において、第１の離型フィルム１２０の内端と第２の離型フィルム１３０の内端を互いに揃え、図３Ｂに示すように、本考案の別の実施例において、第１の離型フィルム１２０の内端が第２の離型フィルム１３０の内端を超え、第１の離型フィルム１２０の一部が第２の離型フィルム１３０を覆わせる。本考案の別の実施例において、第１の離型フィルムの内端と第２の離型フィルムの内端も電子機器の長辺に平行となることができる。更に、本考案の別の実施例において、第１の離型フィルムの内端と第２の離型フィルムの内端が互いに揃っていない。つまり二者の内端が対応又は平行しない辺縁を備え、二者の内端が局部重なり、若しくは不特定形状の隙間を残している可能性がある。
【００２５】
第２の離型フィルム１３０は第２の離型層１３１と第２の剥離層１３２とを含む。第２の離型層１３１の外端（図１Ａ、図１Ｂ、図２Ａ、図２Ｂから見ると右端）が電子機器２００の操作表面２１０の第２外側２１５（図１Ａ、図１Ｂ、図２Ａ、図２Ｂから見ると右端）に向く。第２の剥離層１３２が第２の離型層１３１を覆い、且つ第２の離型層１３１の内端（透明な主フィルム１１０の中間区間近く）と第２の剥離層１３２の内端（透明な主フィルム１１０の中間区間近く）とが相互に結合する。
図２Ａ、図２Ｂに示すように、本考案の別の実施例において、第２の離型フィルム１３０の第２の離型層１３１の内端と第２の剥離層１３２の内端が第２の貼合区間１３３を形成する。図３Ａ、図３Ｂに示すように、本考案の別の実施例において、第２の離型フィルム１３０の第２の離型層１３１と第２の剥離層１３２が折畳み一体型とする。
【００２６】
図２Ｂ及び図１Ａ、図１Ｂ、図２Ａを一緒に参照しながら説明する。
保護フィルム１００の使い方は、第１の離型フィルム１２０と第２の離型フィルム１３０一側を電子機器２００に向き、保護フィルム１００を操作表面２１０に置いてから操作表面２１０の両側（第１外側２１４と第２外側２１５）、四隅或いは操作表面２１０全体に貼付位置の合わせを行う。合わせた後、手で保護フィルム１００の一側（例えば図２Ｂ内の第２の離型フィルム１３０に対応する右半部位置）を電子機器２００の操作表面２１０にしっかり押える。この時、透明な主フィルム１１０と第１の離型フィルム１２０の外端を剥がし、力を入れて第１の離型フィルム１２０の第１の剥離層１２２を引き剥がすことで、第１の離型フィルム１２０が剥ぎ取られる。
図２Ｂ内で力を入れている状態を見ることができる。第１の離型フィルム１２０を剥がし、また該側の透明な主フィルム１１０を入念に押圧して操作表面２１０に貼り付けた後、手で左半部位置（本来の第１の離型フィルム１２０に対応する位置）を電子機器２００の操作表面２１０にしっかり押える。次に、透明な主フィルム１１０と第２の離型フィルム１３０の外端を剥がし、力を入れて第２の離型フィルム１３０の第２の剥離層１３２を引き剥がすと、第２の離型フィルム１３０を剥ぎ取ることができ、該側の透明な主フィルム１１０を押圧して操作表面２１０に貼付する。
【００２７】
消費者が開封する前、保護フィルムの損傷を防止し、若しくは加工する必要性のため、保護フィルム１００の１つの表面或いは２つの表面に外側保護シートを同時に貼付できる。
図４Ａに示すように、本考案の別の実施例において、保護フィルム１００は透明な主フィルム１１０の外表面を覆う一枚或いは複数枚の外側保護シート１４０を更に含む。図４Ｂに示すように、本考案の別の実施例において、保護フィルム１００は第１の離型フィルム１２０と第２の離型フィルム１３０を同時に覆う他の一枚又は複数枚の外側保護シート１４０を更に含む。
【００２８】
上記実施例及び図面は、均しく一枚の第１の離型フィルムと一枚の第２の離型フィルムを例にしているが、別の実施例において、図５に示すように、複数枚の第１の離型フィルムに複数枚の第２の離型フィルムを組み合わせ、それぞれ四隅から独立して剥がし・貼付できるため、保護フィルムの貼付品質を向上することができる。本考案の実施例において、第１の離型フィルムの内端と第２の離型フィルムの内側が直角となる二端は、それぞれ電子機器の短辺と長辺に平行となる。
【００２９】
上述をまとめると、本考案の各実施例に基づく電子機器用保護フィルムは、利用者が電子機器の両側、四隅又は操作表面全体に合わせた後、まず手で一端を押さえ、手を他端から放し、他端の第１の離型フィルム或いは第２の離型フィルムのいずれかを先に剥がしてからしっかりと貼付し、その後他側に移って一つのもう一枚又は残った各隅の離型フィルムを剥がすことができる。
電子機器用保護フィルムは電子機器の操作表面全体に合わせ、且つ貼付前電子機器用保護フィルムの一端をしっかり押えて電子機器の操作表面に固定でき、位置を固定し、ずれていない状態下で先に片側或いは単一隅部の局部定位と貼付を終えることができるため、正確な貼付効果を奏すことができる。同時に、過程において、先に離型フィルムを剥がしてから時間がかかる位置合わせをするのでなく、本考案の段階に分けて行う貼付動作によって接着層の露出時間を短縮し、大幅に塵埃微粒子の吸い付きと気泡の問題を減らすことできる。
【００３０】
上記の実施例は、あくまでも本考案の技術内容を明らかにするものであって、具体例のみに限定されて狭義的に解釈されるべきものではなく、本考案の実用新案登録請求の範囲及び明細書の内容に基づいて行う種々の改良変更をなし得る。
【符号の説明】
【００３１】
Ａ          エリア
１００      保護フィルム
１１０      透明な主フィルム
１１１      接着層
１１３ａ    開口
１１３ｂ    開口
１１３ｃ    開口
１２０      第１の離型フィルム
１２１      第１の離型層
１２２      第１の剥離層
１２３      第１の貼合区間
１３０      第２の離型フィルム
１３１      第２の離型層
１３２      第２の剥離層
１３３      第２の貼合区間
１４０      外側保護シート
２００      電子機器
２１０      操作表面
２１１      スクリーン
２１２      フレーム
２１３ａ    押ボタン
２１３ｂ    スピーカ穴
２１３ｃ    カメラ穴
２１４      第１外側
２１５      第２外側
【図１Ａ】
0003179428.tif 000003
【図１Ｂ】
0003179428.tif 000004
【図２Ａ】
0003179428.tif 000005
【図２Ｂ】
0003179428.tif 000006
【図３Ａ】
0003179428.tif 000007
【図３Ｂ】
0003179428.tif 000008
【図４Ａ】
0003179428.tif 000009
【図４Ｂ】
0003179428.tif 000010
【図５】
0003179428.tif 000011